【手続補正書】
【提出日】令和3年3月18日(2021.3.18)
【手続補正１】
【補正対象書類名】特許請求の範囲
【補正対象項目名】全文
【補正方法】変更
【補正の内容】
【特許請求の範囲】
【請求項１】
標的成分に加えて少なくとも１つの副成分を含むガス状混合物（１１１）から標的成分を取り除くための温度スイング吸着方法であって、前記方法が、複数の反応器（１０１、１０２、１０３）において行われ、
各反応器（１０１）が以下の工程：
（ａ）前記ガス状混合物の投入ストリーム（１１１）を固体吸着剤と接触させ、前記投入ストリームから標的成分を吸着させることで、標的成分が充填された吸着剤および標的成分が除去された廃棄ストリーム（１１２）を提供することを含む、吸着工程と；
（ｂ）前記充填された吸着剤を加熱し、標的成分の第１の量を脱着させることで、部分的に再生された吸着剤と、脱着された標的成分を含む第１の排出ストリーム（１１６）とを提供する加熱工程；
（ｃ）少なくとも部分的に再生された吸着剤を冷却する冷却工程
を行い、
各反応器（１０１）の方法が、
前記充填された吸着剤が、標的成分を含むすすぎストリームと接触させられ、前記すすぎストリームに含まれる標的成分のある量が吸着され、標的成分が除去されたパージストリームが生成される、前記吸着工程（ａ）の後かつ前記加熱工程（ｂ）の前のすすぎ工程（ａ１）と；
部分的に再生された吸着剤が、すすぎ工程（ａ１）を実行中の前記複数の反応器のうちの少なくとも１つの他の反応器によって提供されるパージストリームの少なくとも一部と接触させられ、標的成分の第２の量が放出されて標的成分を含有する第２の排出ストリームが提供される、前記冷却工程（ｃ）の前のパージ工程（ｂ１）とを特徴とし、
ここで、前記すすぎ工程（ａ１）で使用されるすすぎストリームが、パージ工程（ｂ１）を実行中の前記複数の反応器のうちの少なくとも１つの他の反応器（１０２）によって提供される第２の排出ストリーム（１２７）の少なくとも一部を含み、
第１の反応器（１０１）がパージ工程（ｂ１）を実行して、前記第２の排出ストリーム（１１７）を提供し、第２の反応器（１０３）がすすぎ工程（ａ１）を実行して、前記パージストリーム（１３５）を提供し、ここで、前記第２の排出ストリーム（１１７）の少なくとも一部が、前記第２の反応器（１０３）のすすぎ工程（ａ１）のためのすすぎストリームとして使用され、前記パージストリーム（１３５）の少なくとも一部が、前記第１の反応器（１０１）のパージ工程（ｂ１）に使用され、したがって、前記第１の反応器と前記第２の反応器との間に閉じたループが形成される、方法。
【請求項２】
すすぎストリームとして作用する、前記パージストリーム（１３５）の少なくとも一部および前記第２の排出ストリーム（１２７）の少なくとも一部が、２つの異なる反応器（１０２、１０３）により提供される、請求項１記載の方法。
【請求項３】
すすぎストリーム（１１７）として使用される前記第２の排出ストリームの少なくとも一部および前記パージストリーム（１３５）の少なくとも一部が、適切な圧縮機に送られ、閉じたループにおけるそれらの循環を確かなものとする、請求項１または２記載の方法。
【請求項４】
第２の排出ストリーム（１２７）の前記少なくとも一部が、適切なタンクにおける中間貯蔵を伴って、または伴わないで、パージ工程（ｂ１）下の前記少なくとも１つの他の反応器（１０２）からすすぎ工程（ａ１）下の前記反応器（１０１）に受け渡され、パージストリーム（１３５）の前記少なくとも一部が、適切なタンクにおける中間貯蔵を伴って、または伴わないで、すすぎ工程（ａ１）下の前記少なくとも１つの他の反応器（１０３）からパージ工程（ｂ１）下の前記反応器（１０１）に受け渡される、請求項１〜３のいずれか１項に記載の方法。
【請求項５】
パージストリーム（１１５、１３５）の前記少なくとも一部が、パージ工程（ｂ１）に付される前に冷却される、請求項１〜４のいずれか１項に記載の方法。
【請求項６】
第２の排出ストリーム（１１７、１２７）の前記少なくとも一部が、前記すすぎ工程（ａ１）に付される前に加熱される、請求項１〜５のいずれか１項に記載の方法。
【請求項７】
前記加熱工程（ｂ）が、吸着剤と接触している熱媒体との直接的な熱交換を含み、前記熱媒体が、好ましくは、主に標的成分を含有するストリーム（１１６、１１７、１２７）である、請求項１〜６のいずれか１項に記載の方法。
【請求項８】
前記冷却工程（Ｃ）が、吸着剤と接触している冷却媒体との直接的な熱交換を含み、前記冷却媒体が、好ましくは、標的成分が除去された廃棄ストリーム（１１２、１１５、１１３）である、請求項１〜７のいずれか１項に記載の方法。
【請求項９】
冷却工程（ｃ）が、吸着工程（ａ）を実行中の前記複数の反応器のうちの少なくとも１つの他の反応器（１０３）によって提供される廃棄ストリームの少なくとも一部（１３３）との直接的な熱交換を含み、廃棄ストリームの前記少なくとも一部（１３３）が、任意に、冷却工程（ｃ）に付される前に冷却される、請求項８に記載の方法。
【請求項１０】
加熱工程（ｂ）および／または冷却工程（ｃ）が間接的な熱交換を含む、請求項１〜９のいずれか１項に記載の方法。
【請求項１１】
前記複数の反応器の各反応器（２０１）が、前記すすぎ工程（ａ１）の後かつ前記本加熱（ｂ）前に予備加熱工程（ａ２）を実施し、ここで前記予備加熱（ａ２）中に、前記少なくとも１つの副成分を含有するガス状生成物（２１９）が、吸着剤から放出され、吸着工程（ａ）またはすすぎ工程（ａ１）下の反応器に再循環される、請求項１〜１０のいずれか１項に記載の方法。
【請求項１２】
予備加熱（ａ２）の持続時間が、すすぎ工程（ａ１）の持続時間の０．１倍から１０倍、好ましくはすすぎ工程（ａ１）の持続時間の６倍である条件、
加熱工程（ｂ）の持続時間が、すすぎ工程（ａ１）の持続時間の１０倍から７０倍である条件、および
冷却工程（ｃ）の持続時間が、パージ工程（ｂ１）の持続時間の１０倍から５０倍である条件、のうちの少なくとも１つが適用される、請求項１１に記載の方法。
【請求項１３】
加熱工程（ｂ）の温度が、２５０℃以下、好ましくは２００℃以下、さらに好ましくは１７０℃以下である、請求項１〜１２のいずれか１項に記載の方法。
【請求項１４】
前記標的成分が二酸化炭素である、請求項１〜１３のいずれか１項に記載の方法。
【請求項１５】
前記ガス状混合物が煙道ガスである、請求項１〜１４のいずれか１項に記載の方法。
【請求項１６】
前記煙道ガスが、アンモニアプラント、メタノールプラントまたは尿素プラントの煙道ガスである、請求項１５に記載の方法。
【請求項１７】
請求項１〜１６のいずれか１項に記載の方法によって、ガス状混合物を処理し、前記ガス状混合物から標的成分を取り除くためのプラントであって、プラントが複数の反応器（１０１、１０２、１０３）を含み、各反応器（１０１）が、前記標的成分を選択的に吸着するための吸着床を含み、ここで
各反応器は、吸着床における標的成分の吸着、標的成分を含むストリーム（１２７）による吸着剤のすすぎ、標的成分の脱着のために吸着剤の加熱、標的成分が除去されたストリーム（１３５）による吸着剤のパージ、およびそのようにして得られる再生された吸着剤の冷却を含む、一連の工程を操作し、
反応器は、各反応器（１０１）が、
パージ工程中に、すすぎ工程を実行中の前記複数の反応器のうちの少なくとも１つ他の反応器（１０３）によって提供される標的成分が除去されたストリーム（１３５）の少なくとも一部を受ける、および
すすぎ工程中に、パージ工程を実行中の前記複数の反応器のうちの少なくとも１つの他の反応器（１０２）によって提供される標的成分を含有するストリーム（１２７）の少なくとも一部を受ける、
ように相互接続されており、
第１の反応器（１０１）は、排出ストリーム（１１７）を提供するパージ工程（ｂ１）を行い、第２の反応器（１０３）はパージストリーム（１３５）を提供するすすぎ工程（ａ１）を行い、ここで、第１の反応器（１０１）の前記排出ストリーム（１１７）の少なくとも一部は前記第２の反応器（１０３）のすすぎ工程（ａ１）のためのすすぎストリームとして使用され、第２の反応器（１０３）からの前記パージストリーム（１３５）の少なくとも一部は前記第１の反応器（１０１）のパージ工程（ｂ１）のために使用され、それにより前記第１の反応器および前記第２の反応器の間に閉じたループが形成される、プラント。